(57)【要約】  本発明の目的の一つは、ＥＣＣＨに誤りが生じても、ＥＤＣＨに及ぼす影響を低減することである。  複数のチャネルによって形成されたフレームが連続しており、制御部（３０）は、フレーム内において、端末装置との間のＥＤＣＨと、ＥＤＣＨについてのＥＣＣＨとのそれぞれに対して、別のチャネルを割り当てる。ＲＦ部（２０）からＩＦ部（２６）は、チャネルを割り当てたＥＣＣＨおよびＥＤＣＨとによって、端末装置との通信を実行する。ここで、ひとつのフレーム内のＥＣＣＨが、複数のフレームにおけるＥＤＣＨに対応することを特徴とする基地局装置を提供する。
2009110544.tif 000002
【特許請求の範囲】
【請求項１】
複数のチャネルによって形成されたフレームが連続しており、各フレーム内において、基地局装置と端末装置との間で通信されるデータと、前記データについての制御情報とのそれぞれに対して、別のチャネルを割り当てる割当部と、
前記割当部においてチャネルを割り当てた制御情報およびデータとによって、前記端末装置との通信を実行する通信部とを備え、
前記割当部においてチャネルを割り当てた制御情報であって、かつひとつのフレーム内の制御情報は、複数のフレームにおけるデータに対応することを特徴とする基地局装置。
【請求項２】
前記割当部においてチャネルを割り当てた制御情報であって、かつひとつのフレーム内の制御情報は、連続したフレームにおけるデータに対応することを特徴とする請求項１に記載の基地局装置。
【請求項３】
前記割当部においてチャネルを割り当てた制御情報は、予め定められたサイズを有し、かつ対応すべきフレーム数に応じて分割された部分領域を含むことを特徴とする請求項１または２に記載の基地局装置。
【請求項４】
前記割当部は、生成部と、遅延部と、合成部とを備え、
前記生成部は、前記制御情報のもとになる情報を生成し、前記情報を前記遅延部と前記合成部とに出力し、
前記遅延部は、前記情報を前記生成部から受け取り、受け取った前記情報を所定のフレームだけ遅延させた後に前記合成部へ出力し、
前記合成部は、前記生成部から受け取った前記情報と前記遅延部から受け取った前記情報とを合成して、前記制御情報を生成することを特徴とする請求項１〜３のいずれか１項に記載の基地局装置。
【請求項５】
複数のチャネルによって形成されたフレームが連続しており、フレーム内において、端末装置との間のデータと、データについての制御情報とのそれぞれに対して、別のチャネルを割り当てた後、チャネルを割り当てた制御情報およびデータとによって、前記端末装置との通信を実行する通信方法であって、
チャネルを割り当てた制御情報であって、かつひとつのフレーム内の制御情報は、複数のフレームにおけるデータに対応することを特徴とする通信方法。
【発明の詳細な説明】
【技術分野】
【０００１】
本発明は、通信技術に関し、特に端末装置に割り当てたチャネルにおいて端末装置と通信する通信方法およびそれを利用した基地局装置に関する。
【背景技術】
【０００２】
無線通信システムにおいて、基地局装置が複数の端末装置を接続する場合がある。基地局装置が複数の端末装置する際の形態のひとつが、ＴＤＭＡ（Ｔｉｍｅ  Ｄｉｖｉｓｉｏｎ  Ｍｕｌｔｉｐｌｅ  Ａｃｃｅｓｓ）／ＴＤＤ（Ｔｉｍｅ  Ｄｉｖｉｓｉｏｎ  Ｄｕｐｌｅｘ）である。ＴＤＭＡ／ＴＤＤでは、複数のタイムスロットによってフレームが形成されており、さらに複数のフレームが連続して配置される。また、ひとつのフレームに含まれた複数のタイムスロットの一部が上り回線のために使用され、残りのタイムスロットが下り回線のために使用される。このようなＴＤＭＡ／ＴＤＤでは、例えば、ひとつのフレームのうちの上り回線のために使用されるタイムスロットの数と、下り回線のために使用されるタイムスロットの数とが、トラヒック量に応じて設定される（例えば、特許文献１参照。）。
【特許文献１】特開平８−１８６５３３号公報
【発明の開示】
【発明が解決しようとする課題】
【０００３】
一般的に、無線通信において、限りある周波数資源の有効利用が望まれている。特に、通信速度の高速化に伴い、その要請はさらに高まっている。この要請に応えるための技術のひとつが、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式であり、これは、前述のＴＤＭＡ／ＴＤＤと組合せ可能である。ＯＦＤＭＡとは、ＯＦＤＭを利用しながら複数の端末装置を周波数多重する技術である。そのため、ＯＦＤＭＡとＴＤＭＡとの組合せ（以下、このような組合せも単に「ＯＦＤＭＡ」といい、通常のＯＦＤＭＡと区別せずに使用する）では、周波数軸方向に規定された複数のサブチャネルと、時間軸方向に規定された複数のタイムスロットとが存在する。また、通信には、サブチャネルとタイムスロットとの組合せ（以下、「バースト」という）が使用される。【０００４】
このようなＯＦＤＭＡにおいて、基地局装置は、データを通信するためのバーストを定期的に各端末装置に割り当てる。このようなバーストの割当は、「回線交換方式」と呼ばれ、音声通話のごとく、伝送遅延を小さくすべき通信に適している。一方、データ通信のごとく、伝送遅延の小ささは要求されないが、トラヒック量が大きく変動する場合もある。後者の場合、回線交換方式ではなく、トラヒック量に応じて、端末装置に割り当てられるバースト数をフレーム単位で変更する「ランダムアクセス方式」が適している。ランダムアクセス方式において、ひとつのフレームあたりに複数のバーストを端末装置に割り当てる場合がある。ここで、バーストには、データが含まれたチャネル（以下、「ＥＤＣＨ」という）が配置されている。また、ＥＤＣＨに関する情報がＥＣＣＨに含まれており、ＥＣＣＨは、定期的に割り当てられる。そのため、ＥＣＣＨに誤りが生じると、ＥＣＣＨだけではなくＥＤＣＨも受信できなくなり、影響が大きくなる。【０００５】
本発明はこうした状況に鑑みてなされたものであり、その目的は、ＥＣＣＨに誤りが生じても、ＥＤＣＨに及ぼす影響を低減する通信技術を提供することにある。
【課題を解決するための手段】
【０００６】
上記課題を解決するために、本発明のある態様の基地局装置は、複数のチャネルによって形成されたフレームが連続しており、各フレーム内において、基地局装置と端末装置との間で通信されるデータと、前記データについての制御情報とのそれぞれに対して、別のチャネルを割り当てる割当部と、割当部においてチャネルを割り当てた制御情報およびデータとによって、端末装置との通信を実行する通信部とを備える。割当部においてチャネルを割り当てた制御情報であって、かつひとつのフレーム内の制御情報は、複数のフレームにおけるデータに対応する。【０００７】
本発明の別の態様は、通信方法である。この方法は、複数のチャネルによって形成されたフレームが連続しており、フレーム内において、端末装置との間のデータと、データについての制御情報とのそれぞれに対して、別のチャネルを割り当てた後、チャネルを割り当てた制御情報およびデータとによって、端末装置との通信を実行する通信方法であって、チャネルを割り当てた制御情報であって、かつひとつのフレーム内の制御情報は、複数のフレームにおけるデータに対応する。【０００８】
なお、以上の構成要素の任意の組合せ、本発明の表現を方法、装置、システム、記録媒体、コンピュータプログラムなどの間で変換したものもまた、本発明の態様として有効である。
【発明の効果】
【０００９】
本発明によれば、ＥＣＣＨに誤りが生じても、ＥＤＣＨに及ぼす影響を低減できる。
【図面の簡単な説明】
【００１０】
【図１】本発明の実施例に係る通信システムの構成を示す図である。
【図２】図１の通信システムにおけるＴＤＭＡフレームの構成を示す図である。
【図３】図１の通信システムにおけるＯＦＤＭＡサブチャネルの構成を示す図である。
【図４】図１の通信システムにおけるサブチャネルブロックの構成を示す図である。
【図５】図１の通信システムにおける制御チャネルの構成を示す図である。
【図６】図１の通信システムにおけるＴＣＨ同期確立手順を示すシーケンス図である。
【図７】図１の基地局装置の構成を示す図である。
【図８】図８（ａ）−（ｂ）は、図１の通信システムにおける下りＥＣＣＨのフォーマットを示す図である。
【図９】図９（ａ）−（ｂ）は、図１の通信システムにおける上りＥＣＣＨのフォーマットを示す図である。
【図１０】図１０（ａ）−（ｂ）は、図１の通信システムの比較対象となる通信システムによるＥＣＣＨとＥＤＣＨの送信動作を示す図である。
【図１１】図１１（ａ）−（ｂ）は、図１の通信システムにおける下りＥＣＣＨの送信動作を示す図である。
【図１２】図１２（ａ）−（ｂ）は、図１の通信システムにおける上りＥＣＣＨの送信動作を示す図である。
【図１３】図１３（ａ）−（ｂ）は、図１の通信システムにおける下りＥＣＣＨに誤りが生じた場合の送信動作を示す図である。
【図１４】図１４（ａ）−（ｂ）は、図１の通信システムにおける上りＥＣＣＨに誤りが生じた場合の送信動作を示す図である。
【図１５】図１５（ａ）−（ｂ）は、図１の通信システムにおける上りＥＣＣＨに誤りが生じた場合の別の送信動作を示す図である。
【符号の説明】
【００１１】
１０  基地局装置、  １２  端末装置、  ２０  ＲＦ部、  ２２  変復調部、  ２４  ベースバンド処理部、  ２６  ＩＦ部、  ３０  制御部、  ５０  接続部、  ５２  割当部、  ５４  生成部、  ５６  遅延部、  ５８  合成部、  １００  通信システム。
【発明を実施するための最良の形態】
【００１２】
本発明を具体的に説明する前に、まず概要を述べる。本発明の実施例は、基地局装置と、少なくともひとつの端末装置によって構成される通信システムに関する。通信システムでは、複数のタイムスロットが時間分割多重されることによって、各フレームが形成され、複数のサブチャネルが周波数分割多重されることによって、各タイムスロットが形成されている。また、各サブチャネルは、マルチキャリア信号によって形成されている。ここで、マルチキャリア信号としてＯＦＤＭ信号が使用されており、周波数分割多重としてＯＦＤＭＡが使用されている。基地局装置は、各タイムスロットに含まれた複数のサブチャネルのそれぞれを端末装置に割り当てることによって、複数の端末装置との通信を実行する。【００１３】
ここで、複数の端末装置との通信において対象とされるデータには、複数の種類が存在する。また、種類に応じて要求される通信速度や遅延時間が異なる。例えば、音声通信の場合、データ通信と比較して一般的に短い遅延時間が要求される。また、データ通信においては、データの内容に応じて通信速度が異なる。そのため、短い遅延時間が要求される場合、回線交換方式のごとく、定期的にバーストを割り当てることが好ましい。例えば、基地局装置が、各端末装置に対して、フレーム周期にてバーストを定期的に割り当てる。一方、短い遅延時間を要求しない端末装置に対して回線交換方式を適用すると、無駄な割当が発生するとともに、データ量の変動への追従が困難になる。【００１４】
そのため、データ通信の場合、ランダムアクセス方式を使用することによって、基地局装置が、各端末装置に対して、バーストを任意に割り当てる。以下では、ランダムアクセス方式において、バーストに割り当てるべきデータのチャネルを「ＥＤＣＨ」と呼ぶ。また、ランダムアクセス方式では、ＥＤＣＨに関する制御情報（以下、「ＥＣＣＨ」という）がフレーム単位に生成される。ＥＣＣＨには、ＥＤＣＨが配置されたバーストに関する情報、ＥＤＣＨの通信速度等が含まれる。基地局装置は、各端末装置との間で定期的にＥＣＣＨによる通信を実行する。端末装置は、ＥＣＣＨを受信すると、ＥＣＣＨの内容を確認することによって、ＥＤＣＨが割り当てられたバーストを認識する。前述のごとく、ＥＣＣＨに誤りが生じると、ＥＣＣＨだけではなくＥＤＣＨも受信できなくなり、影響が大きくなるおそれがある。【００１５】
この不具合を解決するために、本実施例に係る基地局装置は、複数のフレームにわたるＥＤＣＨに関する情報をひとつのＥＣＣＨの中に含める。例えば、従来、２フレーム後のＥＤＣＨに関する情報がＥＣＣＨに含まれている場合、本実施例では、２フレーム後のＥＤＣＨに関する情報に加えて、１フレーム後のＥＤＣＨに関する情報もＥＣＣＨに含める。そのため、所定のＥＣＣＨに誤りが生じても、次のフレームにおけるＥＣＣＨにも、ＥＤＣＨに関する情報が重複して含まれているので、ＥＤＣＨの通信が可能になる。【００１６】
図１は、本発明の実施例に係る通信システム１００の構成を示す。通信システム１００は、基地局装置１０、端末装置１２と総称される第１端末装置１２ａ、第２端末装置１２ｂ、第３端末装置１２ｃを含む。【００１７】
基地局装置１０は、一端に無線ネットワークを介して端末装置１２を接続し、他端に図示しない有線ネットワークを接続する。また、端末装置１２は、無線ネットワークを介して基地局装置１０に接続する。基地局装置１０は、複数のタイムスロットと、複数のサブチャネルを有しているので、複数のタイムスロットによってＴＤＭＡを実行しつつ、複数のサブチャネルによってＯＦＤＭＡを実行する。前述のごとく、タイムスロットとサブチャネルとを組み合わせた単位がバーストとして規定されており、基地局装置１０は、複数の端末装置１２のそれぞれに対してバーストを割り当てることによって、複数の端末装置１２との通信を実行する。具体的には、基地局装置１０は、複数のサブチャネルのうちのいずれかを制御チャネルに規定する。基地局装置１０は、制御チャネルにおいて、ＢＣＣＨのような報知信号を定期的に送信する。【００１８】
端末装置１２は、ＢＣＣＨを受信することによって基地局装置１０の存在を認識するとともに、基地局装置１０に対してレンジングを要求する。また、基地局装置１０は、当該レンジングに応答する。レンジングとは、端末装置１２の周波数オフセットおよびタイミングオフセットを補正するための処理であるが、レンジングには公知の技術が使用されればよいので、ここでは説明を省略する。その後、端末装置１２は、基地局装置１０に対してバースト割当の要求信号を送信し、基地局装置１０は、受信した要求信号に応答して、端末装置１２にバーストを割り当てる。ここで、通信システム１００における割当規則は２種類存在し、それらは、回線交換方式とランダムアクセス方式である。【００１９】
また、基地局装置１０は、端末装置１２に割り当てたバーストに関する情報を送信し、端末装置１２は、割り当てられたバーストを使用しながら、基地局装置１０との通信を実行する。その結果、端末装置１２から送信されたデータは、基地局装置１０を介して、有線ネットワークに出力され、最終的に有線ネットワークに接続された図示しない通信装置に受信される。また、通信装置から端末装置１２への方向にもデータは伝送される。ここで、ランダムアクセス方式を実行している端末装置１２に対して、基地局装置１０は、ＥＣＣＨをフレーム単位に割り当てる。また、基地局装置１０は、当該端末装置１２に対して、ＥＤＣＨを割り当てる。このように、フレーム内において、ＥＤＣＨと、ＥＣＣＨとのそれぞれに対して、別のバーストが割り当てられている。フレーム内におけるＥＤＣＨの数は、フレーム単位に異なる。ここで、ＥＤＣＨに関する制御情報は、ＥＣＣＨに含まれる。例えば、ＥＤＣＨを割り当てたフレーム内のバースト、ＥＤＣＨに対する通信速度等が、ＥＣＣＨに含まれる。これらの詳細は、後述する。【００２０】
図２は、通信システム１００におけるＴＤＭＡフレームの構成を示す。通信システム１００では、第二世代コードレス電話システムと同様、上り通信について４つのタイムスロット、下り通信について４つのタイムスロットによってフレームが構成される。ここで、上り通信についての４つのタイムスロットが上りサブフレームに相当し、下り通信についての４つのタイムスロットが下りサブフレームに相当する。さらにフレームが連続して配置されている。本実施例において、上り通信でのタイムスロットの割当と下り通信でのタイムスロットの割当は同一であるので、以下においては、説明の便宜上、下り通信のみを説明する場合もある。【００２１】
図３は、通信システム１００におけるＯＦＤＭＡサブチャネルの構成を示す。基地局装置１０は、これまで説明したＴＤＭＡに加えて、さらに図３に示すように、ＯＦＤＭＡも適用する。その結果、ひとつのタイムスロットに複数の端末装置が割り当てられる。図３は横軸の方向に時間軸上のタイムスロットの配置を示し、縦軸の方向に周波数軸上のサブチャネルの配置を示す。すなわち、横軸の多重化がＴＤＭＡに相当し、縦軸の多重化がＯＦＤＭＡに相当する。ここでは、ひとつのフレームにおける第１タイムスロット（図中、「Ｔ１」と表示）から第４タイムスロット（図中、「Ｔ４」と表示）が含まれている。例えば、図３のＴ１からＴ４は、図２の第５タイムスロットから第８タイムスロットにそれぞれ相当する。【００２２】
また、各タイムスロットには、第１サブチャネル（図中、「ＳＣ１」と表示）から第１６サブチャネル（図中、「ＳＣ１６」と表示）が含まれている。図３では、第１サブチャネルが、制御チャネルとして確保される。図中では、第１基地局装置１０ａ（図中「ＣＳ１」と表示）が、第１タイムスロットの第１サブチャネルに制御信号を割り当てている。つまり、ＳＣ１だけに着目したときのフレームの構成、および複数のフレームの集合が、ＬＣＣＨに相当する。また、図３では第１タイムスロットの第２サブチャネルに第１端末装置１２ａが、第２タイムスロットの第２サブチャネルから第４サブチャネルに第２端末装置１２ｂが割り当てられる。また、第３タイムスロットの第１６サブチャネルに第３端末装置１２ｃが、第４タイムスロットの第１３サブチャネルから第１５サブチャネルに第４端末装置１２ｄが割り当てられる。このうち、第１端末装置１２ａに割り当てたバーストおよび第３端末装置１２ｃに割り当てたバーストが、ＥＣＣＨに相当する。【００２３】
図４は、通信システム１００におけるサブチャネルブロックの構成を示す。なお、サブチャネルブロックとは、タイムスロットとサブチャネルにて特定される無線チャネルに相当する。図４の横方向は、時間軸であり、縦方向は、周波数軸を示している。「１」から「２９」の番号は、サブキャリアの番号に相当する。このようにサブチャネルは、ＯＦＤＭのマルチキャリア信号によって構成されている。図中、「ＴＳ」は、トレーニングシンボルに相当し、図示しない同期検出用のシンボル「ＳＴＳ」、伝送路特性の推定用シンボル「ＬＴＳ」等の既知信号を含む。「ＧＳ」は、ガードシンボルに相当し、ここに実効的な信号は配置されない。「ＰＳ」はパイロットシンボルに相当し、既知信号によって構成される。「ＳＳ」はシグナルシンボルに相当し、制御用の信号が配置される。「ＤＳ」はデータシンボルに相当し、送信すべきデータである。「ＧＴ」はガードタイムに相当し、実効的な信号は配置されない。【００２４】
図５は、通信システム１００における制御チャネルの構成を示す。制御チャネルは、４つのＢＣＣＨ、１２のＩＲＣＨ、８つのＰＣＨの合計２４のチャネルにより構成される。ＢＣＣＨ、ＩＲＣＨ、ＰＣＨのそれぞれは、８つのＴＤＭＡフレーム（以下、「フレーム」という）で構成される。なお、ひとつのフレームは、図２のように構成される。図５では、便宜上、ＰＣＨ、ＢＣＣＨ、ＩＲＣＨが配置されたフレームも「ＰＣＨ」、「ＢＣＣＨ」、「ＩＲＣＨ」と示される。また、前述のごとく、フレームは複数のタイムスロットに分割されるが、ここでは、タイムスロットの単位、フレームの単位、８フレームの単位のそれぞれに対して区別せずに、「ＰＣＨ」、「ＢＣＣＨ」、「ＩＲＣＨ」という用語を使用する。【００２５】
図中、「ＩＲＣＨ」はチャネル割当時に用いる初期レンジング用チャネルである。さらに、詳しく説明すると、「ＩＲＣＨ」の中には、「ＴＣＣＨ」と「ＩＲＣＨ」とが含まれており、「ＴＣＣＨ」は、端末装置１２から基地局装置１０へ送信される初期レンジングの要求に相当する。また、「ＩＲＣＨ」は、当該初期レンジングの要求に対する応答に相当する。そのため、「ＴＣＣＨ」は、上り回線の信号であり、「ＩＲＣＨ」は、下り回線の信号である（以下、ＴＣＣＨとＩＲＣＨとの組合せもＩＲＣＨというが、ＩＲＣＨ単独の場合と区別せずに使用する）。なお、端末装置からのＴＣＣＨを受信した基地局装置は、レンジングの処理を実行するが、レンジングの処理は公知の技術でよいので、ここでは、説明を省略する。【００２６】
また、図の下段には、各フレームの構成を示しているが、これは図２と同様に示される。なお、これは、図４のＳＣ１に対するフレーム構成に相当する。図１の第１基地局装置１０ａは、フレームを構成するタイムスロットのうち、ＬＣＣＨを割り当てたタイムスロット（図中、「ＣＳ１」と表示）で、ＢＣＣＨ、ＩＲＣＨ、ＰＣＨを８フレーム間隔で間欠的に送信する。つまり、第１基地局装置１０ａは、ＢＣＣＨを構成する８つのフレームのうち、第１フレームの第５タイムスロットを使用し、ＩＲＣＨを構成する８つのフレームのうち、第１フレームの第５タイムスロットを使用する。【００２７】
さらに、第１基地局装置１０ａは、ＰＣＨを構成する８つのフレームのうち、第１フレームの第５タイムスロットを使用する。図１に示された第２基地局装置１０ｂは、第１基地局装置１０ａが送信した次のフレーム（図中、第２フレーム）のタイムスロットのうち、第１基地局装置１０ａが利用しているタイムスロットとフレーム先頭からの位置が同じタイムスロット（図中、「ＣＳ２」と表示）で、ＢＣＣＨ、ＩＲＣＨ、ＰＣＨを８フレーム間隔で間欠的に送信する。このような構成により、フレームを構成する下り４つのタイムスロットごとに、８つの基地局装置、最大３２基地局装置まで多重することができる。【００２８】
図６は、通信システム１００におけるＴＣＨ同期確立手順を示すシーケンス図である。これは、前述の回線交換方式を実行する場合のシーケンス図に相当する。基地局装置１０は、端末装置１２の端末番号を格納し、ページングエリアに属する他の基地局装置と一斉にＰＣＨを送信する（Ｓ１００）。基地局装置１０は、予め定められたタイミングにてＢＣＣＨを送信する（Ｓ１０２）。ＰＣＨを受信した端末装置１２は、ＰＣＨに自己の端末番号が含まれていると、ＢＣＣＨをもとに基地局装置１０を特定した後に、ＴＣＣＨに送信元識別情報を格納し、基地局装置１０へ送信して、初回の初期レンジングを要求する（Ｓ１０４）。ＴＣＣＨは、初期レンジングを要求するために規定された信号であり、複数種類の波形パターンとして規定されている。基地局装置１０は、受信したＴＣＣＨより端末装置１２の送信元識別情報ＵＩＤを分離し、端末装置１２を空いているＴＣＨに割り当てる。基地局装置１０は、割り当てたＴＣＨのスロット番号とサブチャネル番号をＩＲＣＨに格納して端末装置１２へ送信し、２回目の初期レンジングを行うＴＣＨを端末装置１２に通知する（Ｓ１０６）。端末装置１２は、送信元識別情報をＴＣＣＨに格納し、割り当てられた初期レンジング用のＴＣＨを用いて、基地局装置１０へ送信し、２回目の初期レンジングを要求する（Ｓ１０８）。【００２９】
基地局装置１０は、端末装置１２に割り当てたＴＣＨを用いてレンジング処理を実行し、タイムアライメント制御と送信出力制御とＳＣＣＨの送受信タイミングとをＲＣＨに格納して、端末装置１２へ送信し、送信出力などの補正を要求する（Ｓ１１０）。端末装置１２は、受信したＲＣＨより基地局装置１０から要求された補正値を抽出し、送信出力などを補正する。以下では、以上のような処理を「レンジング処理」と総称する。次に、割り当てられた初期レンジング用のＴＣＨを用いて基地局装置１０に無線リソース割当を要求する（Ｓ１１２）。基地局装置１０は、端末装置１２からの無線リソース割当要求メッセージにＦＥＣ復号処理などを行ってから、端末装置１２に空いているＴＣＨを割り当てる。そして、割り当てたＴＣＨのスロット番号とサブチャネル番号をＳＣＣＨに格納し、端末装置１２へ送信する（Ｓ１１４）。ここまでのステップによりＴＣＨの同期が確立するため、これ以降、基地局装置１０と端末装置１２は同期を確立したＴＣＨを用いて、データを送受信する（Ｓ１１６）。【００３０】
図７は、基地局装置１０の構成を示す。基地局装置１０は、ＲＦ部２０、変復調部２２、ベースバンド処理部２４、ＩＦ部２６、制御部３０を含む。また、制御部３０は、接続部５０、割当部５２を含み、割当部５２は、生成部５４、遅延部５６、合成部５８を含む。【００３１】
ＲＦ部２０は、受信処理として、図示しない端末装置１２から受信した無線周波数のマルチキャリア信号に対して周波数変換を実行し、ベースバンドのマルチキャリア信号を生成する。ここで、マルチキャリア信号は、図３のごとく形成されており、また、図２の上りタイムスロットに相当する。さらに、ＲＦ部２０は、ベースバンドのマルチキャリア信号を変復調部２２に出力する。一般的に、ベースバンドのマルチキャリア信号は、同相成分と直交成分によって形成されるので、ふたつの信号線によって伝送されるべきであるが、ここでは、図を明瞭にするためにひとつの信号線だけを示すものとする。また、ＲＦ部２０には、ＡＧＣやＡ／Ｄ変換部も含まれる。【００３２】
ＲＦ部２０は、送信処理として、変復調部２２から入力したベースバンドのマルチキャリア信号に対して周波数変換を実行し、無線周波数のマルチキャリア信号を生成する。さらに、ＲＦ部２０は、無線周波数のマルチキャリア信号を送信する。なお、ＲＦ部２０は、受信したマルチキャリア信号と同一の無線周波数帯を使用しながら、マルチキャリア信号を送信する。つまり、図２のごとく、ＴＤＤが使用されているものとする。また、ＲＦ部２０には、ＰＡ（Ｐｏｗｅｒ  Ａｍｐｌｉｆｉｅｒ）、Ｄ／Ａ変換部も含まれる。【００３３】
変復調部２２は、受信処理として、ＲＦ部２０から入力したベースバンドのマルチキャリア信号に対して、ＦＦＴを実行することによって、時間領域から周波数領域への変換を実行する。周波数領域に変換したマルチキャリア信号は、図３や図４のごとく、複数のサブキャリアのそれぞれに対応した成分を有する。なお、変復調部２２は、タイミング同期、つまりＦＦＴのウインドウの設定を実行し、ガードインターバルの削除も実行する。タイミング同期等には、公知の技術が使用されればよいので、ここでは、説明を省略する。また、変復調部２２は、周波数領域に変換したマルチキャリア信号を復調する。なお、復調のために伝送路特性が推定されるが、伝送路特性は、サブキャリア単位に推定される。変復調部２２は、復調した結果をベースバンド処理部２４に出力する。【００３４】
変復調部２２は、送信処理として、ベースバンド処理部２４から受けつけたマルチキャリア信号に対して、変調を実行する。また、変復調部２２は、変調したマルチキャリア信号に対して、ＩＦＦＴを実行することによって、周波数領域から時間領域への変換を実行する。変復調部２２は、時間領域に変換したマルチキャリア信号をベースバンドのマルチキャリア信号としてＲＦ部２０に出力する。なお、変復調部２２は、ガードインターバルの付加も実行するが、ここでは説明を省略する。【００３５】
ベースバンド処理部２４は、受信処理として、変復調部２２から復調結果を受けつけ、復調結果を端末装置１２単位に分離する。つまり、復調結果は、図３のごとく、複数のサブチャネルによって構成されている。そのため、ひとつのサブチャネルがひとつの端末装置１２に割り当てられている場合、復調結果には、複数の端末装置１２からの信号が含まれている。ベースバンド処理部２４は、このような復調結果を端末装置１２単位に分離する。ベースバンド処理部２４は、分離した復調結果に対して、送信元の端末装置１２を識別するための情報と宛先を識別するための情報とを付加して、ＩＦ部２６に出力する。【００３６】
ベースバンド処理部２４は、送信処理として、ＩＦ部２６から、複数の端末装置１２へのデータを受けつけ、データをサブチャネルに割り当て、複数のサブチャネルからマルチキャリア信号を形成する。つまり、ベースバンド処理部２４は、図３のごとく、複数のサブチャネルによって構成されるマルチキャリア信号を形成する。なお、データが割り当てられるべきサブチャネルは、図３のごとく決められており、それに関する指示は、制御部３０から受けつけるものとする。ベースバンド処理部２４は、マルチキャリア信号を変復調部２２に出力する。【００３７】
ＩＦ部２６は、受信処理として、ベースバンド処理部２４から受けつけた復調結果を図示しない有線ネットワークに出力する。復調結果の宛先は、復調結果に付加された情報であって、かつ宛先を識別するための情報をもとに設定される。ここで、宛先を識別するための情報は、例えば、ＩＰ（Ｉｎｔｅｒｎｅｔ  Ｐｒｏｔｏｃｏｌ）アドレスによって示される。また、ＩＦ部２６は、送信処理として、図示しない有線ネットワークから複数の端末装置１２に対するデータを入力する。制御部３０は、入力したデータをベースバンド処理部２４に出力する。【００３８】
制御部３０は、端末装置１２に対するバーストの割当、基地局装置１０全体のタイミング制御等を実行する。バーストの割当は、サブチャネルとタイムスロットとの組合せを割り当てることに相当する。前述のごとく、制御部３０は、バーストの割当として、回線交換方式とランダムアクセス方式とを実行する。制御部３０は、例えば、端末装置１２からの要求に応じて、回線交換方式を実行する。つまり、当該端末装置１２に対して、制御部３０は、定期的にバーストを端末装置１２に割り当てる。例えば、フレーム周期のタイムスロットに含まれたバーストが、第１端末装置１２ａに割り当てられる。なお、バーストの割当は、定期的になるようになされればよく、フレーム周期だけに限らず、フレーム周期よりも長い周期にてなされてもよく、フレーム周期よりも短い周期にてなされてもよい。【００３９】
また、制御部３０は、別の端末装置１２からの要求に応じて、ランダムアクセス方式を実行する。つまり、制御部３０は、当該端末装置１２に対して、バーストの割当をフレーム単位に変更する。例えば、制御部３０は、端末装置１２との通信量を反映させながら、割り当てるべきバーストの数を決定する。制御部３０は、端末装置１２に対して、定期的にＥＣＣＨを割り当て、当該ＥＣＣＨの中に、ＥＤＣＨを割り当てたバーストに関する情報を含める。ここで、制御部３０は、ＳＣＣＨを送信する際にＥＣＣＨの割当を通知する。そのため、ＥＣＣＨは、回線交換方式におけるＴＣＨのごとく、定期的に割り当てられている。なお、ＴＣＨには、下りＴＣＨと上りＴＣＨとが含まれており、ＥＣＣＨには、下りＥＣＣＨと上りＥＣＣＨとが含まれている。【００４０】
制御部３０における動作をより詳細に説明するが、ここでは、特に本実施例と関連の深いものとして、（１）新規接続時の動作、（２）ランダムアクセス方式での基本動作、（３）ランダムアクセス方式でのＥＣＣＨの詳細を順に説明する。なお、（３）は、（２）の動作の一部に相当する。また、ここでは、説明を明瞭にするために、ひとつの端末装置１２に対する処理を説明する。【００４１】
（１）新規接続時の動作
接続部５０は、レンジング処理の終了後、ＲＦ部２０からＩＦ部２６を介して、図示しない端末装置１２であって、かつ接続していない端末装置１２から、無線リソース獲得要求ＳＣＣＨを受信する。接続部５０は、無線リソース獲得要求ＳＣＣＨをもとに、当該端末装置１２に対して、バーストを割り当てる。その際、例えば、無線リソース獲得要求ＳＣＣＨには、回線交換方式による割当を希望するか、あるいはランダムアクセス方式による割当を希望するかが示された情報が含まれていてもよい。接続部５０は、その情報をもとに、回線交換方式による割当あるいはランダムアクセス方式による割当を決定する。なお、いずれの場合においても、上りサブフレームと下りサブフレームとに対して、対称的なバーストの割当がなされる。接続部５０は、回線交換方式を実行する場合、端末装置１２に対してＴＣＨ、つまりデータを含めるべきバーストを直接割り当てる。【００４２】
一方、接続部５０は、ランダムアクセス方式を実行する場合、端末装置１２に対してＥＣＣＨ、つまりＥＤＣＨに関する情報が含まれたバーストを直接割り当てる。また、ＥＤＣＨに対するバーストの割当は、ＥＣＣＨを介して、端末装置１２に伝えられる。接続部５０は、回線交換方式でのＴＣＨの割当の結果あるいはランダムアクセス方式でのＥＣＣＨの割当の結果を無線リソース割当ＳＣＣＨとして、ＩＦ部２６からＲＦ部２０より図示しない端末装置１２へ送信する。図示しない端末装置１２は、無線リソース割当ＳＣＣＨの内容をもとに通信を実行する。また、ＲＦ部２０からＩＦ部２６は、制御部３０においてバーストを割り当てたＥＣＣＨおよびＥＤＣＨとによって、端末装置１２との通信を実行する。【００４３】
（２）ランダムアクセス方式での基本動作
制御部３０は、フレーム単位に、ＥＤＣＨに割り当てるバースト決定する。ＥＤＣＨに対するバーストの割当は、上りＥＤＣＨと下りＥＤＣＨのそれぞれに対してなされる。制御部３０は、上りＥＤＣＨと下りＥＤＣＨのそれぞれに対するバーストの割当結果を下りＥＣＣＨに格納する。また、下りＥＣＣＨには、下りＥＤＣＨに対する通信速度等の情報も含まれる。通信速度は、変調方式、誤り訂正の符号化率によって定められる。【００４４】
さらに、下りＥＣＣＨには、過去の上りＥＤＣＨに対するＡＣＫ／ＮＡＣＫの情報も含まれる。このようなＡＣＫ／ＮＡＣＫの情報は、ＡＲＱ（Ａｕｔｏｍａｔｉｃ  Ｒｅｐｅａｔ  Ｒｅｑｕｅｓｔ）やＨＡＲＱに使用されるが、ここでは説明を省略する。上りＥＣＣＨは、図示しない端末装置１２から送信されており、上りＥＤＣＨでの通信速度の情報や、過去の下りＥＤＣＨに対するＡＣＫ／ＮＡＣＫの情報を含んでいる。また、ＥＣＣＨの通知後、ＥＣＣＨに含まれた情報にしたがって、基地局装置１０と端末装置１２との間でＥＤＣＨによる通信が実行される。【００４５】
（３）ランダムアクセス方式でのＥＣＣＨの詳細
生成部５４は、下りＥＣＣＨのもとになる情報（以下、「ＥＤＣＨ情報」という）を生成する。ＥＤＣＨ情報には、フレーム内においてＥＤＣＨが配置されたバーストに関する情報、ＥＤＣＨに対する通信速度に関する情報、過去の上りＥＤＣＨに対するＡＣＫ情報が含まれる。なお、これらは、２フレーム後のＥＤＣＨに相当する。生成部５４は、生成したＥＤＣＨ情報を遅延部５６と合成部５８とに出力する。【００４６】
遅延部５６は、生成部５４において生成されたＥＤＣＨ情報を受けつける。遅延部５６は、受けつけたＥＤＣＨ情報を１フレーム遅延させた後に、合成部５８へ出力する。合成部５８は、生成部５４から、２フレーム後に対応したＥＤＣＨ情報を受けつけるとともに、遅延部５６から、１フレーム後に対応したＥＤＣＨ情報を受けつける。つまり、合成部５８は、連続したフレームに対応したＥＤＣＨ情報を受けつける。合成部５８は、ふたつのＥＤＣＨを合成することによって、ＥＣＣＨを生成する。つまり、ひとつのＥＣＣＨは、ふたつの連続したフレームにおけるＥＤＣＨに対応する。【００４７】
図８（ａ）−（ｂ）は、通信システム１００における下りＥＣＣＨのフォーマットを示す。図８（ａ）は、従来の下りＥＣＣＨのフォーマットを示す。ここで、カッコは、ビット数に相当する。「ＭＡＰ」は、フレーム内においてＥＤＣＨが配置されたバーストに関する情報である。ここで、ＥＤＣＨには、下りＥＤＣＨと上りＥＤＣＨとが含まれる。また、「ＭＩ」は、ＥＤＣＨに対する通信速度に関する情報であり、「ＡＣＫ」は、過去の上りＥＤＣＨに対するＡＣＫ情報である。ここでは、これら以外の情報に関する説明を省略するが、「ＭＡＰ」、「ＡＣＫ」、「Ｖ」、「ＭＩ」、「ＭＲ」、「ＨＣ」は、２フレーム後のＥＤＣＨ情報に相当する。【００４８】
図８（ｂ）は、合成部５８において生成される下りＥＣＣＨのフォーマットを示す。図示のごとく、「ＭＡＰ」、「ＡＣＫ」、「Ｖ」、「ＭＩ」、「ＭＲ」、「ＨＣ」が、２フレーム後に対するＥＤＣＨ情報に相当し、「ＭＡＰ’」、「ＡＣＫ’」、「Ｖ’」、「ＭＩ’」、「ＨＣ’」が、１フレーム後に対するＥＤＣＨ情報に相当する。前述のごとく、前者が生成部５４から入力され、後者が遅延部５６から入力される。なお、図８（ｂ）における各情報のために確保されたビット数は、図８（ａ）における各情報のために確保されたビット数よりも少ない。ここで、ＥＣＣＨのサイズは、「１８６ビット」と予め定められている。また、ＥＣＣＨでは、対応すべきフレーム数に応じて分割された部分領域に、ＥＤＣＨ情報が配置されている。フレーム数が多くなるほど、ＥＤＣＨ情報の数が増加するが、各ＥＤＣＨ情報のサイズが小さくなることによって、ＥＣＣＨのサイズは維持される。図７に戻る。【００４９】
下りＥＣＣＨの説明にあわせて、ここでは、上りＥＣＣＨの構成についても説明する。上りＥＣＣＨは、図示しない端末装置１２において生成される。図９（ａ）−（ｂ）は、通信システム１００における上りＥＣＣＨのフォーマットを示す。図９（ａ）は、従来の上りＥＣＣＨのフォーマットを示す。図示のごとく、現フレームのＥＤＣＨ情報が含まれている。なお、上りＥＣＣＨに含まれるＥＤＣＨ情報は、下りＥＣＣＨに含まれるＥＤＣＨ情報から、ＭＡＰを除外した構造を有し、かつ過去の上りＥＤＣＨに対するＡＣＫ情報の代わりに、過去の下りＥＤＣＨに対するＡＣＫ情報を含む。図９（ｂ）は、図示しない端末装置１２において生成される上りＥＣＣＨのフォーマットを示す。図示のごとく、現フレームのＥＣＤＨ情報および１フレーム後のＥＤＣＨ情報が含まれる。つまり、上りＥＣＣＨには、下りＥＣＣＨと同様に、ふたつの連続したフレームに対するＥＤＣＨ情報が含まれる。【００５０】
図１０（ａ）−（ｂ）は、通信システム１００の比較対象となる通信システムによるＥＣＣＨとＥＤＣＨの送信動作を示す。図１０（ａ）は、ＥＣＣＨに相当し、図１０（ｂ）は、ＥＤＣＨに相当する。ここで、説明の便宜上、フレームに対して前から順に番号を付与しており、フレーム１からフレーム８が「Ｆ１」から「Ｆ８」と示される。また、図面を明瞭にするために、図２に示された各フレームのうち、ＥＣＣＨおよびＥＤＣＨが配置されたタイムスロットのみが示されている。さらに、上段が下り回線（ＤＬ）に相当し、下段が上り回線（ＵＬ）に相当する。【００５１】
Ｆ４に着目すると、Ｆ４のＥＣＣＨ（ＤＬ）が図８（ａ）に対応する。前述のごとく、下りＤＣＣＨには、２フレーム後のＥＤＣＨのＭＡＰ、ＭＩ（下り回線用）等が含まれており、それらが「Ｄ１」として示される。また、下りＥＣＣＨには、２フレーム前の上りＥＤＣＨに対するＡＣＫが含まれており、それが「Ａ１」として示されている。Ｆ４のＥＣＣＨ（ＵＬ）が図９（ａ）に対応する。前述のごとく、上りＥＣＣＨには、現フレームのＭＩ（上り回線用）等が含まれており、それが「Ｕ１」として示される。また、上りＥＣＣＨには、２フレーム前の下りＥＤＣＨに対するＡＣＫが含まれており、それが「Ａ２」として示されている。【００５２】
このような状況下において、下りＥＣＣＨに誤りが生じると、ＡＣＫ／ＮＡＣＫが不明になることによって、２フレーム後の上りＥＤＣＨのＨＡＲＱが送信できなくなる。また、ＭＡＰが不明になることによって、２フレーム後の上りＥＤＣＨが送信できなくなる。さらに、ＭＡＰ、ＭＩ等が不明になることによって、２フレーム後の下りＥＤＣＨが受信できなくなる。一方、上りＥＣＣＨに誤りが生じると、ＡＣＫ／ＮＡＣＫが不明になることによって、２フレーム後の下りＥＤＣＨのＨＡＲＱが送信できなくなる。また、ＭＩ等が不明になることによって、現フレームの上りＥＤＣＨが受信できなくなる。【００５３】
図１１（ａ）−（ｂ）は、通信システム１００における下りＥＣＣＨの送信動作を示す。これは、図８（ｂ）に示された下りＥＣＣＨを使用する場合の動作に相当する。図１１（ａ）−（ｂ）の表記は、図１０（ａ）−（ｂ）と同様であり、ここでは説明を省略する。下りＥＤＤＨには、２フレーム後のＥＤＣＨに対するＭＡＰ等に加えて、１フレーム後のＥＤＣＨに対するＭＡＰ等も含まれている。前者が「Ｄ１」として示され、後者が「Ｄ２」として示される。また、下りＥＣＣＨには、２フレーム前の上りＥＤＣＨに対するＡＣＫに加えて、３フレーム前の上りＥＤＣＨに対するＡＣＫも含まれている。前者が「Ａ１」として示され、後者が「Ａ３」として示される。下りＥＣＣＨには、複数のフレームに対する情報が含まれるので、冗長性が増加し、誤りに対する影響が低減される。【００５４】
図１２（ａ）−（ｂ）は、通信システム１００における上りＥＣＣＨの送信動作を示す。これは、図９（ｂ）に示された上りＥＣＣＨを使用する場合の動作に相当する。図１２（ａ）−（ｂ）の表記は、図１０（ａ）−（ｂ）と同様であり、ここでは説明を省略する。上りＥＤＤＨには、現フレームＥＤＣＨに対するＭＩ等に加えて、１フレーム後のＥＤＣＨに対するＭＩ等も含まれている。前者が「Ｕ１」として示され、後者が「Ｕ２」として示される。また、上りＥＣＣＨには、２フレーム前の下りＥＤＣＨに対するＡＣＫに加えて、３フレーム前の下りＥＤＣＨに対するＡＣＫも含まれている。前者が「Ａ２」として示され、後者が「Ａ４」として示される。上りＥＣＣＨにも、複数のフレームに対する情報が含まれるので、冗長性が増加し、誤りに対する影響が低減される。【００５５】
この構成は、ハードウエア的には、任意のコンピュータのＣＰＵ、メモリ、その他のＬＳＩで実現でき、ソフトウエア的にはメモリにロードされた通信機能のあるプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。【００５６】
図１に示した端末装置１２は、図７に示した基地局装置１０と同様に構成され、基地局装置１０に対応した動作を実行する。なお、端末装置１２と基地局装置１０との機能の違いは、レンジング処理、チャネルの割当、ＥＣＣＨの生成等に存在するが、それらは既に説明したので、ここでは説明を省略する。【００５７】
以上の構成による通信システム１００の動作を説明する。図１３（ａ）−（ｂ）は、通信システム１００における下りＥＣＣＨに誤りが生じた場合の送信動作を示す。これは、図８（ｂ）に示された下りＥＣＣＨを使用する場合の動作に相当する。図１３（ａ）−（ｂ）の表記は、図１０（ａ）−（ｂ）と同様であり、ここでは説明を省略する。これまでと同様にＦ４に着目すると、下りＥＣＣＨに誤りが発生することによって、Ｆ２の上りＥＤＣＨに対するＡＣＫが不明になる。これは、「Ａ１」が正しく伝えられないことに相当する。また、下りＥＣＣＨに誤りが発生することによって、Ｆ６のＥＤＣＨに対するＭＡＰが不明になる。これは、「Ｄ１」が正しく伝えられないことに相当する。【００５８】
一方、Ｆ２の上りＥＤＣＨに対するＡＣＫと、Ｆ６のＥＤＣＨに対するＭＡＰとは、Ｆ５の下りＥＣＣＨにも含められる。それらは、「Ａ３’」と「Ｄ２’」に相当する。このようなＦ５の下りＥＣＣＨの存在によって、Ｆ４の下りＥＣＣＨに対する誤りの影響が低減される。つまり、端末装置１２は、Ｆ５の下りＥＣＣＨを受信することによって、Ｆ２の上りＥＤＣＨに対するＡＣＫを取得でき、Ｆ６の上りＥＤＣＨを送信できる。また、端末装置１２は、Ｆ６のＭＡＰ等を受信することによって、Ｆ６の下りＥＤＣＨを受信できる。【００５９】
図１４（ａ）−（ｂ）は、通信システム１００における上りＥＣＣＨに誤りが生じた場合の送信動作を示す。これは、図９（ｂ）に示された上りＥＣＣＨを使用する場合の動作に相当する。図１４（ａ）−（ｂ）の表記は、図１０（ａ）−（ｂ）と同様であり、ここでは説明を省略する。これまでの説明と異なり、Ｆ５に着目すると、上りＥＣＣＨに誤りが発生することによって、Ｆ５の上りＥＤＣＨに対するＭＩ等が不明になる。これは「Ｕ１」が正しく伝えられないことに相当する。また、上りＥＣＣＨに誤りが発生することによって、Ｆ３の下りＥＤＣＨに対するＡＣＫが不明になる。これは、「Ａ２」が正しく伝えられないことに相当する。【００６０】
一方、Ｆ５の上りＥＤＣＨに対するＭＩ等は、Ｆ４の上りＥＣＣＨにも含められる。それは、「Ｕ２’」に相当する。その結果、基地局装置１０は、Ｆ５の上りＥＤＣＨを受信できる。また、Ｆ３の下りＥＤＣＨに対するＡＣＫは、Ｆ６の上りＥＣＣＨにも含められる。それは、「Ａ４’」に相当する。その結果、基地局装置１０は、Ｆ３の下りＥＤＣＨに対するＡＣＫを１フレーム遅れて受信し、その際にＦ８のＥＤＣＨに対するＭＡＰを生成する。なお、端末装置１２は、Ｆ５の下りＥＣＣＨを受信して、Ｆ８の下りＥＤＣＨに対するＭＡＰ等を取得することによって、Ｆ８の下りＥＤＣＨを受信できる。【００６１】
図１５（ａ）−（ｂ）は、通信システム１００における上りＥＣＣＨに誤りが生じた場合の別の送信動作を示す。これは、図９（ｂ）に示された上りＥＣＣＨに、現フレームの上りＥＤＣＨに対するＭＩ等と１フレーム前の上りＥＤＣＨに対するＭＩ等が含まれる場合の動作に相当する。図１５（ａ）−（ｂ）の表記は、図１０（ａ）−（ｂ）と同様であり、ここでは説明を省略する。ここでもＦ５に着目すると、上りＥＣＣＨに誤りが発生することによって、Ｆ５の上りＥＤＣＨに対するＭＩ等が不明になる。これは「Ｕ１」が正しく伝えられないことに相当する。また、上りＥＣＣＨに誤りが発生することによって、Ｆ３の下りＥＤＣＨに対するＡＣＫが不明になる。これは、「Ａ２」が正しく伝えられないことに相当する。【００６２】
一方、Ｆ３の下りＥＤＣＨに対するＡＣＫは、Ｆ６の上りＥＣＣＨにも含められる。それは、「Ａ４’」に相当する。その結果、基地局装置１０は、Ｆ３の下りＥＤＣＨに対するＡＣＫを１フレーム遅れて受信し、その際にＦ８のＥＤＣＨに対するＭＡＰを生成する。なお、基地局装置１０は、Ｆ６の上りＥＣＣＨに含まれたＦ５の上りＥＤＣＨに対するＭＩ等により、Ｆ５の上りＥＤＣＨのＡＣＫを生成する。さらに、端末装置１２は、Ｆ５の下りＥＣＣＨを受信して、Ｆ８の下りＥＤＣＨに対するＭＡＰ等を取得することによって、Ｆ８の下りＥＤＣＨを受信できる。【００６３】
本発明の実施例によれば、ＥＣＣＨの中にふたつのフレームに対するＥＤＣＨ情報を含めるので、ひとつのＥＣＣＨに誤りが生じても、別のＥＣＣＨによって同一のＥＤＣＨ情報を通知できる。また、ひとつのＥＣＣＨに誤りが生じても、別のＥＣＣＨによって同一のＥＤＣＨ情報が通知されるので、ＥＣＣＨが誤っても、ＥＤＣＨを受信できる。また、ひとつのＥＣＣＨに誤りが生じても、別のＥＣＣＨによって同一のＥＤＣＨ情報が通知されるので、ＥＣＣＨの誤りの影響を低減できる。また、ＡＣＫの情報を複数のＥＣＣＨに含めるので、ひとつのＥＣＣＨに誤りが生じても、別のＥＣＣＨによってＡＣＫの情報を通知できる。【００６４】
また、ＭＡＰを複数のＥＣＣＨに含めるので、ひとつのＥＣＣＨに誤りが生じても、別のＥＣＣＨによってＭＡＰを通知できる。また、ＭＩ等を複数のＥＣＣＨに含めるので、ひとつのＥＣＣＨに誤りが生じても、別のＥＣＣＨによってＭＩ等を通知できる。同一のＥＤＣＨ情報を連続したＥＣＣＨに含めるので、ＥＣＣＨに誤りが生じても、ＥＤＣＨ情報を直ちに通知できる。また、ＥＣＣＨに含めるＥＤＣＨ情報の数に応じて、ＥＤＣＨ情報のサイズが調節されるので、ＥＣＣＨのサイズを維持できる。また、ＥＣＣＨのサイズが維持されるので、伝送効率の低下を抑制できる。【００６５】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。【００６６】
本発明の実施例において、合成部５８は、ふたつのＥＤＣＨ情報を合成することによって、ひとつのＥＣＣＨを生成している。しかしながらこれに限らず、合成部５８は、３つ以上のＥＤＣＨ情報を合成することによって、ひとつのＥＣＣＨを生成してもよい。その際、ひとつのＥＤＣＨ情報のサイズは、ＥＤＣＨ情報数に応じて小さくなる。本変形例によれば、冗長性が増加するので、ＥＣＣＨの誤りによる影響を低減できる。【００６７】
本発明を詳細にまた特定の実施態様を参照して説明したが、本発明の精神と範囲を逸脱することなく様々な変更や修正を加えることができることは当業者にとって明らかである。
本出願は、2008年3月6日出願の日本特許出願・出願番号2008-056614に基づくものであり、その内容はここに参照として取り込まれる。
【産業上の利用可能性】
【００６８】
本発明によれば、ＥＣＣＨに誤りが生じても、ＥＤＣＨに及ぼす影響を低減できる。
【図１】
2009110544.tif 000003
【図２】
2009110544.tif 000004
【図３】
2009110544.tif 000005
【図４】
2009110544.tif 000006
【図５】
2009110544.tif 000007
【図６】
2009110544.tif 000008
【図７】
2009110544.tif 000009
【図８】
2009110544.tif 000010
【図９】
2009110544.tif 000011
【図１０】
2009110544.tif 000012
【図１１】
2009110544.tif 000013
【図１２】
2009110544.tif 000014
【図１３】
2009110544.tif 000015
【図１４】
2009110544.tif 000016
【図１５】
2009110544.tif 000017
【国際調査報告】
2009110544.tif 000018
2009110544.tif 000019